(57)【特許請求の範囲】
【請求項１】
上部に開口部を有するボックス本体と、該ボックス本体の開口部を開閉可能なる蓋体とよりなり、前記ボックス本体の一方の縦壁に対して所定寸法離間した位置の前記ボックス本体の底壁には、上部に突出される突起部が形成されてなると共に該突起部の上方で前記開口部に仕切部材が着脱自在なるよう支持され、
前記ボックス本体の前記突起部で仕切られた何れか一方の底部は、他方の底部より段下がりした位置に形成されてなることを特徴とする物入れ。
【請求項２】
請求項１記載の物入れにおいて、
前記仕切部材は、前記ボックス本体の一方の縦壁及び前記突起部間の寸法に略合致した幅寸法に形成されてなることを特徴とする物入れ。
【請求項３】
請求項１又は請求項２記載の物入れにおいて、
前記仕切部材には、該段下がり寸法分と略一致する深さ寸法を有するトレイが形成されてなることを特徴とする物入れ。
【請求項４】
請求項１乃至請求項３何れか記載の物入れにおいて、
前記仕切部材には、前記ボックス本体の開口部に断続的に形成されてなる被係合部に係合離脱自在な係合部が形成されてなることを特徴とする物入れ。
【請求項５】
請求項１乃至請求項４何れか記載の物入れにおいて、
前記仕切部材には、前記ボックス本体の底部に臨む開口が形成されてなることを特徴とする物入れ。
【請求項６】
請求項１乃至請求項５何れか記載の物入れにおいて、
前記ボックス本体の双方の底部と前記仕切部材との空間には、カセットテープケースが収納可能であり、前記仕切部材が該ボックス本体の一方の底部を覆わない状態では、該一方の底部の上に眼鏡ケースが収納可能であり、前記仕切部材が該他方の底部を覆わない状態では、前記ボックス本体の他方の底部の上にコンパクトディスクケースが収納可能であることを特徴とする物入れ。
【発明の詳細な説明】
【０００１】
【発明の属する技術分野】
本発明は、自動車や列車、船舶、航空機などの乗り物或いは劇場やホテル等屋内或いは野球場やサッカー場等屋外に用いられる物入れの構造に関する。
【０００２】
【従来の技術】
従来の物入れの構造としては、実開昭５８ー１２９２４８号公報或いは実開昭５９ー１７２０４０号公報に示すようなものがある。
【０００３】
前者の物入れとしてのコンソールボックスには、収納ポケットが設けられてなる断面略Ｊ字状の仕切り板を適宜の位置に配設可能なるものである。
【０００４】
また、後者の物入れとしてのコンソールボックスには、上方に開口したボックスの相対する内側面にガイド溝が形成されてなり、このガイド溝に仕切板を挿入してボックス内を適宜に仕切るようにしたものである。
【０００５】
【発明が解決しようとする課題】
然しながら、かかる構成によれば、仕切り板によって小物の整理は出来るが、ボックスの底が深くて小物が出し入れしにくい傾向にあり、改善が求められている。
【０００６】
また、仕切り板をボックスの適宜の位置に配設した状態では、収納量が減少してしまい、改善が求められている。
【０００７】
そこで、本発明は、以上のような点に鑑みてなされたもので、その目的とするところは、ボックスを仕切っていても小物の出し入れが容易で、収納量が減少しない物入れを提供することにある。
【０００８】
【課題を解決するための手段】
上記課題を解決するために、請求項１の発明は、上部に開口部を有するボックス本体と、該ボックス本体の開口部を開閉可能なる蓋体とよりなり、前記ボックス本体の一方の縦壁に対して所定寸法離間した位置の前記ボックス本体の底壁には、上部に突出される突起部が形成されてなると共に該突起部の上方で前記開口部に仕切部材が着脱自在なるよう支持され、前記ボックス本体の前記突起部で仕切られた何れか一方の底部は、他方の底部より段下がりした位置に形成されてなることを特徴とする。
【０００９】
請求項２の発明は、請求項１記載の物入れにおいて、前記仕切部材は、前記ボックス本体の一方の縦壁及び前記突起部間の寸法に略合致した幅寸法に形成されてなることを特徴とする。
【００１０】
請求項３の発明は、請求項１又は請求項２記載の物入れにおいて、前記仕切部材には、該段下がり寸法分と略一致する深さ寸法を有するトレイが形成されてなることを特徴とする。
【００１１】
請求項４の発明は、請求項１乃至請求項３何れか記載の物入れにおいて、前記仕切部材には、前記ボックス本体の開口部に断続的に形成されてなる被係合部に係合離脱自在な係合部が形成されてなることを特徴とする。
【００１２】
請求項５の発明は、請求項１乃至請求項４何れか記載の物入れにおいて、前記仕切部材には、前記ボックス本体の底部に臨む開口が形成されてなることを特徴とする。
【００１３】
請求項６の発明は、請求項１乃至請求項５何れか記載の物入れにおいて、前記ボックス本体の双方の底部と前記仕切部材との空間には、カセットテープケースが収納可能であり、前記仕切部材が該ボックス本体の一方の底部を覆わない状態では、該一方の底部の上に眼鏡ケースが収納可能であり、前記仕切部材が該他方の底部を覆わない状態では、前記ボックス本体の他方の底部の上にコンパクトディスクケースが収納可能であることを特徴とする。
【００１４】
【発明の効果】
以上より明らかなように、請求項１の発明によれば、ボックス本体の一方の縦壁に対して所定寸法離間した位置の前記ボックス本体の底壁に突起部が形成されてなると共に該突起部の上方の前記開口部に仕切部材が支持されてなるので、該突起部及び仕切部材でボックス本体が仕切られても二つの領域から夫々の小物を容易に出し入れでき、しかも、二つの領域を跨る小物を入れることもできるので、収納量が減少しない。また、この仕切部材は、ボックス本体に着脱自在であるので、収納する品物の形状によって、幾通りにでも対処できる。
【００１５】
また、前記ボックス本体の前記突起部で仕切られた何れか一方の底部は、他方の底部より段下がりした位置に形成されてなるので、他方の底部に収納できないような背丈の高い小物も十分収納できることになる。
【００１６】
請求項２の発明によれば、請求項１記載の効果に加え、前記仕切部材の幅寸法が、前記ボックス本体の一方の縦壁及び前記突起部間の寸法に略合致した幅寸法に形成されてなるので、ボックス本体の他方の縦壁から前記突起部間の所定の寸法内に収納されるものの前後移動や前後倒れを確実に防止できる。
【００１７】
請求項３の発明によれば、請求項１又は請求項２記載の効果に加え、前記仕切部材には、該段下がり寸法分と略一致する深さ寸法を有するトレイが形成されてなるので、該仕切部材の上にもカードやピン、クリップなどの小物を収納できることになる。
【００１９】
請求項４の発明によれば、請求項１乃至請求項３何れか記載の効果に加え、前記仕切部材の係合部を、前記ボックス本体の開口部に断続的に形成されてなる被係合部に係合したり離脱したりすることが自在であるので、収納する品物の形状によって、幾通りにでも対処できる。
【００２０】
請求項５の発明によれば、請求項１乃至請求項４何れか記載の効果に加え、前記仕切部材の開口内に眼鏡ケースなどの長尺の小物を収納すれば、前記ボックス本体の底部に該小物の底部が支持され且つ該開口が側部を支持してなる。
【００２１】
請求項６の発明によれば、請求項１乃至請求項５何れか記載の効果に加え、前記ボックス本体の双方の底部と前記仕切部材との空間には、カセットテープケースが収納可能であり、前記仕切部材が該ボックス本体の一方の底部を覆わない状態では、該一方の底部の上で眼鏡ケースの底部を支持し、該仕切部材で眼鏡ケースの側部を保持可能であり、前記仕切部材が該他方の底部を覆わない状態では、前記ボックス本体の他方の底部の上でコンパクトディスクケースの底部を支持し、該仕切部材でコンパクトディスクケースの側部を保持可能である。
【００２２】
【発明の実施の形態】
以下、この発明の実施の形態を図面と共に説明する。
【００２３】
図１乃至図５は、本発明の第１の実施形態に係る物入れを自動車用コンソールボックスに適用した例を示している。
【００２４】
即ち、物入れとしてのコンソールボックス１は、上部に開口部２を有するボックス本体３と、該ボックス本体３の開口部２の側部にヒンジ４ａを介して開閉可能なる蓋体４とよりなる。図に示した蓋体４の開閉方向とは逆のボックス本体３側部にヒンジ４ａが設けられる例でも良いこと勿論である。
【００２５】
前記ボックス本体３の一方としての前側の縦壁５に対して所定寸法（例えばおよそ７０ミリ）離間した位置の前記ボックス本体３の底壁６には、上部に５ミリ程突出される突起部７が形成されてなると共に該突起部７の上方で前記開口部２に仕切部材８が着脱自在なるよう支持されてなる。
【００２６】
前記仕切部材８は、前記ボックス本体３の前側の縦壁５及び前記突起部７間の寸法に略合致した幅寸法に形成されてなる。
【００２７】
前記ボックス本体３の前記突起部７で仕切られた何れか一方の底部９は、他方の底部１０より１２ミリほど段下がりした位置に形成されてなり、前記仕切部材８には、該段下がり寸法分と略一致する深さ寸法を有するトレイ８ａが形成されてなる。
【００２８】
前記仕切部材８には、前記ボックス本体３の開口部２に断続的に形成されてなる被係合部としての切り込み部１１に係合離脱自在な係合部１２が形成されてなる。
【００２９】
前記ボックス本体３の双方の底部９、１０と前記仕切部材８との空間には、図３及び図４に示すように、カセットテープケース１３が収納可能である。
【００３０】
前記仕切部材８が該ボックス本体３の一方の底部９を覆わない図４に示す状態では、該一方の底部９の上に眼鏡ケース１４が収納可能である。
【００３１】
前記仕切部材８が該他方の底部１０を覆わない図３及び図５に示す状態では、前記ボックス本体３の他方の底部１０の上にコンパクトディスクケース１５が収納可能である。
【００３２】
符号２０は、前記コンソールボックス１の後部に出没自在に配設されてなるカップホルダー、２１は灰皿である。
【００３３】
以上の第１の実施形態の構成であるから、ボックス本体３の前側の縦壁５に対して所定寸法離間した位置の前記ボックス本体３の底壁６に突起部７が形成されてなると共に該突起部７の上方の前記開口部２に仕切部材８が支持されてなるので、該突起部７及び仕切部材８でボックス本体３が前後に仕切られても二つの領域から夫々の小物（例えば、カセットテープケース１３）を容易に出し入れでき、しかも、二つの領域を跨る小物（例えば手帳１６）を入れることもできるので、収納量が減少しない。
【００３４】
また、この仕切部材８は、ボックス本体３の切り込み部１１から抜けば他の位置への移動が自在であり、切り込み部１１に差し込めばその位置に固定されるように着脱自在であるので、収納する品物の形状によって、幾通りにでも対処できる。
【００３５】
前記仕切部材８の前後幅寸法が、前記ボックス本体３の前側の縦壁５及び前記突起部７間の寸法に略合致した前後幅寸法に形成されてなるので、ボックス本体３の他方としての後ろ側の縦壁１７から前記突起部７間の所定の寸法内に収納される小物（例えばコンパクトディスクケース１５）の前後移動や前後倒れを確実に防止できる。
【００３６】
前記ボックス本体３の前記突起部７で仕切られた何れか一方の底部９は、他方の底部１０より段下がりした位置に形成されてなるので、他方の底部１０に収納できないような背丈の高い小物（例えば眼鏡ケース１４）も十分収納できることになる。
【００３７】
また、前記仕切部材８には、該段下がり寸法分と略一致する深さ寸法を有するトレイ８ａが形成されてなるので、該仕切部材８の上にもカードやピン、クリップなどの小物を収納できることになる。
【００３８】
前記仕切部材８の係合部１２を、前記ボックス本体３の開口部２に断続的に形成されてなる被係合部としての切り込み部１１に係合したり離脱したりすることが自在であるので、収納する品物の形状によって、幾通りにでも対処できる。
【００３９】
前記ボックス本体３の双方の底部９、１０と前記仕切部材８との空間１８には、カセットテープケース１８が収納可能であり、前記仕切部材８が該ボックス本体３の一方の底部９を覆わない状態では、該一方の底部９の上で眼鏡ケース１４の底部１４ａを支持し、該仕切部材８で眼鏡ケース１４の側部１４ｂを保持可能である。
【００４０】
前記仕切部材８が該他方の底部１０を覆わない状態では、前記ボックス本体３の他方の底部１０の上でコンパクトディスクケース１５の底部１５ａを支持し、該仕切部材８でコンパクトディスクケース１５の側部１５ｂを保持可能である。
【００４１】
図６は、本発明の第２の実施形態に係る物入れを自動車用コンソールボックスに適用した例を示している。
【００４２】
即ち、仕切部材８には、前記ボックス本体３の底壁６の一方の底部９に臨む開口１９が形成されてなるもので、かかる構成によれば、前記仕切部材８の開口１９内に眼鏡ケース１４などの長尺の小物を収納すれば、前記ボックス本体３の底壁６の一方の底部９に、該小物としての眼鏡ケース１４の底部１４ａが支持され且つ該開口１９が側部１４ｂを支持してなる。
【図面の簡単な説明】
【図１】この発明の第１の実施形態に係る物入れの斜視図である。
【図２】図１のボックス本体を一部分解した斜視図である。
【図３】この発明の第１の実施形態に係る物入れの断面図である。
【図４】図３の仕切部材を底部１０上に移動させた状態の断面図である。
【図５】図３の仕切部材を外した状態における断面図である。
【図６】この発明の第２の実施形態に係る仕切部材の断面図である。
【符号の説明】
１  物入れとしてのコンソールボックス
２  開口部
３  ボックス本体
５  一方の縦壁としての前側の縦壁
６  ボックス本体の底壁
７  突起部
８  仕切部材
９  底壁の一方の底部
１０  底壁のたほうの底部
１１  被係合部としての切り込み部
１２  係合部
【図１】
0003663773.tif 000002
【図２】
0003663773.tif 000003
【図３】
0003663773.tif 000004
【図４】
0003663773.tif 000005
【図５】
0003663773.tif 000006
【図６】
0003663773.tif 000007